(57)【要約】【課題】不使用時にコンパクトに収納でき、スライドカートに常設できる荷崩れ防止具を提供する。【解決手段】板状の床面パネル９と、鉛直材を備える一対の側面パネル１０と、キャスターと、を備えてなるスライドカート８に用いられる補助具であって、スライドカート８の周側面上に巻回される保護シート２と、スライドカート８に巻回された保護シート２を環状に保持するための固定構造３と、この固定構造３を側面パネル１０に保持するための保持構造４と、側面パネル１０における鉛直材１０ａの内寸法を１とした場合に、保護シート２の巻回方向における幅Ｌが０.５≦Ｌ≦１を満たし、保護シート２の端部に配され、保護シート２よりも硬い材質からなる巻取り芯５と、巻取り芯５が設けられていない側の保護シート２の端部に設けられ、巻取り芯５に巻回された保護シート２を収納するポケットと、を備えた荷崩れ防止具１による。【選択図】図１
2020157941.tif 000002
【特許請求の範囲】
【請求項１】
板状の床面パネルと、鉛直材と水平材とからなる一対の側面パネルと、前記床面パネルの底面側に直接又は間接的に設けられるキャスターと、を備えてなるスライドカートに積載される荷物の荷崩れを防止するために用いられる補助具であって、
前記スライドカートの周側面上に巻回される保護シートと、
前記スライドカートに巻回された前記保護シートを環状に保持するための固定構造と、
前記保護シートを前記側面パネルに着脱可能に保持するための保持構造と、
前記側面パネルにおける前記鉛直材の内寸法を１とした場合に、前記保護シートの巻回方向における幅Ｌが０.５≦Ｌ≦１を満たし、前記保護シートの端部に配され、前記保護シートよりも硬い材質からなる巻取り芯と、
前記保護シートにおいて前記巻取り芯が設けられていない側の端部に設けられ、前記巻取り芯に巻回された前記保護シートを収納するポケットと、を備えていることを特徴とする荷崩れ防止具。
【請求項２】
前記巻取り芯に巻回された前記保護シートを前記ポケットに収納した際の前記荷崩れ防止具の厚みは、前記スライドカートをネスティングした場合に隣接する前記側面パネル同士の空隙以下であることを特徴とする請求項１に記載の荷崩れ防止具。
【請求項３】
前記固定構造は、
前記保護シートの前記巻取り芯が設けられている端部に延設されるバンドと、
前記保護シートの前記巻取り芯が設けられていない側の端部に設けられ、前記バンドを係止するための環状具と、を備え、
前記バンドは、前記巻取り芯と重なっている積層領域を備えていることを特徴とする請求項１又は請求項２に記載の荷崩れ防止具。
【請求項４】
前記ポケットは、その開口を所望に広げるための開閉具を備えていることを特徴とする請求項１乃至請求項３のいずれか１項に記載の荷崩れ防止具。
【請求項５】
前記ポケットは、その上面に第２のポケット又はシール貼付け台を備えていることを特徴とする請求項１乃至請求項４のいずれか１項に記載の荷崩れ防止具。
【請求項６】
前記スライドカートの前記側面パネルの鉛直方向の５０％以上の領域を被覆する前記保護シートを備えていることを特徴とする請求項１乃至請求項５のいずれか１項に記載の荷崩れ防止具。
【発明の詳細な説明】
【技術分野】
【０００１】
本発明は、スライドカート等の手押しタイプの台車の使用時に、荷物が荷崩れを起こすのを防止するための荷崩れ防止具に関する。
【背景技術】
【０００２】
一般に、物流の現場ではスライドカート等の手押しタイプの台車を用いて荷物を運搬している。この場合、台車の操作時に、荷崩れが起こると搬送中の荷物が破損する、あるいは荷物が損傷するおそれがあった。
このような事情に対処するため、荷物を積載した台車の周囲に使い捨ての薄膜状のフィルムを巻回して荷物の荷崩れを防止する、あるいは繰り返し使用可能なシート状の荷崩れ防止具を、荷物を積載した台車の周囲に巻回する等の対策がとられている。
特に前者の場合は、薄膜状のフィルムは使い捨てされるため、その購入及び廃棄にコストがかかるという課題があった。加えて、薄膜状のフィルムは通常焼却廃棄されるため、その処分時の環境負荷が高く、好ましくないという課題もあった。
また、後者の場合、荷崩れ防止具を構成する保護シートは通常、長尺で大判のシート体である。このため、保護シートの畳み方によっては荷崩れ防止具が嵩張ってしまいコンパクトに収納保管できない、あるいはスライドカート等から一時的に取り外したことが原因で、荷崩れ防止具の紛失が起こるといった課題が生じていた。
上述のような課題に対処するための先行技術としては例えば、以下に示すようなものが知られている。
【０００３】
特許文献１には「手押し台車の荷崩れ防止用積載物固定ベルト」という名称で、荷物運搬用手押し台車の積載物の荷崩れを防止する固定ベルトに関する考案が開示されている。
特許文献１に開示される考案である荷崩れ防止用積載物固定ベルトは、文献中に記載される符号をそのまま用いて説明すると、手押し台車の手押し部５に荷崩れ防止用積載物固定ベルト１ａ、１ｂを挿入係止帯との間にできる開口部を挿入して係止し、荷崩れ防止用積載物固定ベルトを収納袋３から引き出して積載物７を取り巻くように一周させて用いるものである。さらに、上記構成の特許文献１に開示される考案における固定ベルトは、止め具を通過、反転させて適度の力で引張し積載物とフィットするように締めて固定部材で固定して用いるものである。
また、特許文献１に開示される考案は、不使用時に荷崩れ防止用積載物固定ベルトを収納袋に納めておくことで、長いベルトの整理と次の使用に備えることができるという利点を有している。
【０００４】
また、特許文献２には「荷くずれ防止装置」という名称で、左右側面に保護柵を配し、前後面を開放して成るカートに各種の積載物を積載したときの荷くずれを防止するようにした荷くずれ防止装置に関する発明が開示されている。
特許文献２に開示される発明は、左右側面に保護柵を配し且つ前後面を開放し、積載物を段積み状に積載可能としたカートの保護柵周囲、もしくはカートに積載されている積載物周囲を巻回するに足りる長さを有し、端部相互が牽引されて引き締められた状態で互いに連結固定する固定手段を介して保護柵周囲もしくは積載物周囲に固定保持可能にした少なくとも２つのシートカバーを備え、カートの保護柵周囲、もしくはカートに積載されている積載物周囲でシートカバーを複数段状に巻回配置させると共に、下段側に配したシートカバーの外側面に配した面ファスナーと上段側に配したシートカバーの内側面に配した面ファスナーとを相互に止着して上下で一体状にする止着手段を備えて成ることを特徴とするものである。
上述のような特許文献２に開示される発明によれば、カート上に段積み状に積載した各種の積載物の周囲側面、上部、下部それぞれを結束固定してカートからの荷くずれを未然に防止することができるという効果を奏する。
【０００５】
なお、本願出願人は、本発明とやや関連性を有する技術分野の発明として過去に、特開２０１７−０９５１６４号公報（特許文献３）、特開２０１３−２３３９７０号公報（特許文献４）等を発明し、出願している。
【先行技術文献】
【特許文献】
【０００６】
【特許文献１】登録実用新案第３１３９３２８号公報
【特許文献２】特開２００４−１４２８１１号公報
【特許文献３】特開２０１７−０９５１６４号公報
【特許文献４】特開２０１３−２３３９７０号公報
【発明の概要】
【発明が解決しようとする課題】
【０００７】
上述のような特許文献１に開示されている考案は、荷崩れ防止用積載物固定ベルトを収納保管しておくための収納袋を備え、この収納袋は、台車に常設できるよう構成されている。このため、特許文献１に開示されている考案によれば、荷崩れ防止用積載物固定ベルトを使用しない場合は、収納袋内に格納して台車に常設しておくことができるというメリットを有する。
他方、特許文献１に開示されている考案を、従来公知のスライドカートに常設しようとすると、荷崩れ防止用積載物固定ベルトを格納した収納袋の厚みが大きい場合に、スライドカートをネスティングさせることができなくなるという別の課題が生じてしまっていた。
【０００８】
また、特許文献２に開示される発明の場合は、例えばスライドカートの鉛直上方側に配される荷物の荷崩れを防止することができさえすればよいというような時でも、その都度スライドカートの全域にシートカバーを覆設する作業を行う必要があり、使用者にとって作業負担が大きいという課題があった。
また、特許文献２の発明の取付け手順に関して、同文献の明細書段落００１９には、「本発明装置の使用の一例を説明するに、図１（特許文献２）に示すように、保形芯材６が内設されていることで剛性化されているシートカバー１Ａのいずれか一方の端部のスリット５を備えている側の端部側をカートＰ一端側の保護柵Ｑに位置する積載された積載物Ｃ相互間に挿入して、あるいは保護柵Ｑに巻回して仮止めしておく。」との記載がある。
そして、スライドカートに積載される荷物の重量が特に重い場合は、上記抜粋部分に記載される作業自体が困難である場合や、あるいは「積載された積載物Ｃ相互間」に「シートカバー１Ａのいずれか一方の端部のスリット５を備えている側の端部側」を挿入している又は取り外している最中に、荷崩れが起きてしまう懸念があり、安全かつ確実に特許文献２に開示される発明を着脱させることが難しいという課題もあった。
【０００９】
本発明はかかる従来の事情に対処してなされたものであり、不使用時の収納作業を迅速に行うことができ、その着脱作業を安全にかつ容易に行うことができ、しかもスライドカートに常設しておいてもネスティングの妨げにならない荷崩れ防止具を提供することにある。
【課題を解決するための手段】
【００１０】
上記目的を達成するため第１の発明である荷崩れ防止具は、板状の床面パネルと、鉛直材と水平材とからなる一対の側面パネルと、床面パネルの底面側に直接又は間接的に設けられるキャスターと、を備えてなるスライドカートで運搬される荷物の荷崩れを防止するための補助具であって、スライドカートの周側面上に巻回される保護シートと、スライドカートに巻回された保護シートを環状に保持するための固定構造と、保護シートを側面パネルに着脱可能に保持するための保持構造と、側面パネルにおける鉛直材の内寸法を１とした場合に、保護シートの巻回方向における幅Ｌが０.５≦Ｌ≦１を満たし、保護シートの端部に配され、保護シートよりも硬い材質からなる巻取り芯と、保護シートにおいて巻取り芯が設けられていない側の端部に設けられ、巻取り芯に巻回された保護シートを収納するポケットと、を備えていることを特徴とするものである。
上記構成の第１の発明において保護シートは、スライドカートの外側面上を略水平に巻回されることで環状をなし、その際に保護シートの中空部内に収容されている荷物の揺動を抑制する作用を有する。また、固定構造は、保護シートを環状に形成した場合に、隣接し合う保護シートの端部同士を連結して環状を保持させるという作用を有する。さらに、保持構造は、スライドカートの側面パネルに保護シートを着脱可能に保持させるという作用を有する。加えて、巻取り芯を保護シートよりも硬い材質により構成し、保護シートの一部をなすようにその端部に配し、さらに保護シートの巻回方向における幅Ｌが、側面パネルにおける鉛直材の内寸法を１とする場合に、０.５≦Ｌ≦１を満たすよう構成することで、巻取り芯に保護シートを巻回する際の巻取り芯の回転数を少なくするという作用を有する。加えて、巻取り芯が上記特徴を備えていることで、巻取り芯に巻回された状態の保護シートの巻回方向における幅が、側面パネルの水平方向幅を大きく超えないようにするという作用を有する。また、ポケットはその一部が保護シートにより構成されることで、ポケット自体も保護シートの一部として作用する。さらに、ポケットはその中空部内に巻取り芯に巻き取られた保護シートを収容保持するという作用を有する。
【００１１】
第２の発明である荷崩れ防止具は、上述の第１の発明であって、巻取り芯に巻回された保護シートをポケットに収納した際の荷崩れ防止具の厚みは、スライドカートをネスティングした場合に隣接する側面パネル同士の空隙以下であることを特徴とするものである。
上記構成の第２の発明は、上述の第１の発明と同じ作用を有する。加えて、第２の発明では、巻取り芯に巻回した保護シートをポケットに収納した際の荷崩れ防止具の厚みを、スライドカートをネスティングした際の隣接する側面パネル同士の空隙以下に設定しておくことで、収納状態の第２の発明を側面パネルに取設したままスライドカートをネスティングすることが可能になる。
【００１２】
第３の発明である荷崩れ防止具は、上述の第１又は第２の発明であって、固定構造は、保護シートの巻取り芯が設けられている端部に延設されるバンドと、保護シートの巻取り芯が設けられていない側の端部に設けられ、バンドを係止するための環状具と、を備え、バンドは、巻取り芯と重なっている積層領域を備えていることを特徴とするものである。
上記構成の第３の発明は、上述の第１の発明又は第２の発明と同じ作用を有する。また、第３の発明においてバンドは、保護シートをスライドカートの周囲に巻回した際に、保護シートの巻回方向における長さの一部を補うという作用を有する。また、第３の発明では、バンドと環状具との掛止構造により保護シート環状に保つという作用を有する。
さらに、バンドと巻取り芯からなる積層領域を備えることで、巻取り芯は、バンドの補強材としても作用する。このため、バンドに大きな張力が作用した際に、バンドが保護シート（巻取り芯）から引きちぎれるのを防ぐという作用を有する。
【００１３】
第４の発明である荷崩れ防止具は、上述の第１乃至第３のいずれかの発明であって、ポケットは、その開口を所望に広げるための開閉具を備えていることを特徴とするものである。
上記構成の第４の発明は、上述の第１乃至第３のそれぞれの発明と同じ作用に加えて、ポケットの開閉具は、ポケットの開口を広げるという作用を有する。そして、ポケットの開口が広がることで、巻取り芯に巻回された保護シートのポケットへの出し入れを容易かつ迅速にするという作用を有する。
【００１４】
第５の発明である荷崩れ防止具は、上述の第１乃至第４のいずれかの発明であって、ポケットは、その上面に第２のポケット又はシール貼付け台を備えていることを特徴とするものである。
上記構成の第５の発明は、上述の第１乃至第４のそれぞれの発明と同じ作用に加えて、ポケットがその上面に第２のポケットを備えている場合は、第５の発明の使用対象であるスライドカートの所属先に関する情報や、そのスライドカートに積載される荷物に関する情報が記された書類を第２のポケットに収容してスライドカートとともに送り届けることを可能にするという作用を有する。
また、第５の発明がポケットの上面にシール貼付け台を備えていることで、スライドカートの所属先に関する情報や、そのスライドカートに積載される荷物に関する情報が記されたシールを、シール貼付け台に貼り付けてスライドカートとともに搬送することが可能になる。
【００１５】
第６の発明である荷崩れ防止具は、上述の第１乃至第５のいずれかの発明であって、スライドカートの側面パネルの鉛直方向の５０％以上の領域を被覆する保護シートを備えていることを特徴とするものである。
上記構成の第６の発明は、上述の第１乃至第５のそれぞれの発明と同じ作用に加えて、保護シートのサイズを、スライドカートの側面パネルの鉛直方向の５０％以上の領域を被覆することができる程度の大きさに特定することで、１枚の保護シートを用いてスライドカートの鉛直方向における広範囲を保護シートで保定することを可能にするという作用を有する。
【発明の効果】
【００１６】
上述のような第１の発明によれば、保護シートの巻回方向における巻取り芯の幅Ｌが、側面パネルにおける鉛直材の内寸法を１とする場合に、０.５≦Ｌを満たすよう構成されていることで、保護シートの巻取り芯として例えば棒体を用いる場合に比べて保護シートを素早く巻取り芯に巻き取ることができる。
さらに、巻取り芯の幅Ｌが、側面パネルにおける鉛直材の内寸法を１とする場合に、Ｌ≦１を満たすよう構成されていることで、巻取り芯に巻回された後の保護シートの巻回方向における幅を、側面パネルの水平方向幅と同じかそれよりもやや小さくすることができる。
したがって第１の発明によれば、保護シートを巻回してポケットに収納した際の荷崩れ防止具の水平方向幅を、スライドカートの側面パネルの水平方向幅と略同じかそれよりも小さくすることができる。
これにより、第１の発明である荷崩れ防止具をスライドカートに常設した際に、その側面パネルの左右方向に、巻取り保管中の崩れ防止具がはみ出すのを好適に防ぐことができる。
この結果、第１の発明である荷崩れ防止具を備えたままスライドカートを移動させる際に、荷崩れ防止具がスライドカートの移動の妨げになるのを防止できる。
【００１７】
第２の発明によれば、上述の第１の発明による効果と同じ効果を有する。さらに、第２の発明によれば、側面パネルに収納状態の荷崩れ防止具を取設したまま、複数のスライドカートをネスティングすることができる。
したがって、第２の発明によれば、収納状態の荷崩れ防止具を常設したままネスティングも含めてスライドカートを通常通り使用することができる。
【００１８】
第３の発明によれば、上述の第１又は第２の発明による効果と同じ効果に加えて、巻取り芯にバンドが固設されていることで、荷物を積載したスライドカートに保護シートを巻回する際に、バンドに大きな張力が作用しても保護シートからバンドが引きちぎれるのを防ぐことができる。
したがって、第３の発明によれば、耐久性に優れた荷崩れ防止具を提供することができる。
【００１９】
第４の発明によれば、上述の第１乃至第３のそれぞれの発明による効果と同じ効果を有する。さらに、第４の発明によれば、開閉具を操作することでポケットの開口を広げることができる。
この場合、ポケットの開口を広げられることで、ポケット内への保護シート出し入れをスムーズに行うことができる。
よって、第４の発明によれば、操作性に優れた荷崩れ防止具を提供することができる。
【００２０】
第５の発明によれば、上述の第１乃至第４のそれぞれの発明による効果と同じ効果を有する。さらに、第５の発明によれば、スライドカートに関する情報や、それに積載される荷物に関する情報を、第５の発明である荷崩れ防止具ともに送り届けることができる。
よって、第５の発明によれば、利便性に優れた荷崩れ防止具を提供することができる。
【００２１】
第６の発明によれば、上述の第１乃至第５のそれぞれの発明による効果と同じ効果を有する。さらに、第６の発明によれば、スライドカートの鉛直方向の広範囲を１枚の保護シートで被覆することができる。
よって、第６の発明によれば、利便性に優れた荷崩れ防止具を提供することができる。
【図面の簡単な説明】
【００２２】
【図１】本発明の実施形態に係る荷崩れ防止具をスライドカートに装着した様子を示す斜視図である。
【図２】本発明の実施形態に係る荷崩れ防止具を環状に形成した場合の外観図である。
【図３】本発明の実施形態に係る荷崩れ防止具の外観図である。
【図４】本発明の実施形態に係る荷崩れ防止具の巻取り芯に保護シートを巻き取った状態を示す斜視図である。
【図５】本発明の実施形態に係る荷崩れ防止具において巻取り芯に巻き取った保護シートをポケットに収納している様子を示す斜視図である。
【図６】（ａ）本発明の実施形態に係る荷崩れ防止具において保護シートをポケットに収納した状態の正面図であり、（ｂ）同荷崩れ防止具の背面図である。
【図７】保護シートが収納された状態の本発明の実施形態に係る荷崩れ防止具をスライドカートの側面パネルに取り付けた様子を示す斜視図である。
【図８】本発明の実施形態に係る荷崩れ防止具を取り付けた状態でスライドカートをネスティングした様子を示す斜視図である。
【発明を実施するための形態】
【００２３】
本発明の実施の形態に係る荷崩れ防止具について図１乃至図８を参照しながら詳細に説明する。
【００２４】
まず、本実施の形態に係る荷崩れ防止具の構造について図１乃至図３を参照しながら詳細に説明する。
図１は本発明の実施形態に係る荷崩れ防止具をスライドカートに装着した様子を示す斜視図である。また、図２は図１中に示される荷崩れ防止具を抜き出して示す外観図である。さらに、図３は、本発明の実施形態に係る荷崩れ防止具の外観図である。
本実施形態に係る荷崩れ防止具１は、スライドカート８に積載される荷物（図１中には図示せず）の荷崩れを防止するために用いられる補助具である。また、本実施形態に係る荷崩れ防止具１を装着するスライドカートの形態としては、例えば、図１に示すような、板状の床面パネル９と、鉛直材１０ａと水平材１０ｂとからなる一対の側面パネル１０と、床面パネル９の底面側に直接又は間接的に設けられる複数のキャスター１１とを備えてなるスライドカート８を想定している。
このようなスライドカート８に装着して用いられる本実施形態に係る荷崩れ防止具１は、例えば図１乃至図３に示すように、スライドカート８の周側面上に巻回される保護シート２と、スライドカート８に巻回されたスライドカート８を環状に保持するための固定構造３と、保護シート２を側面パネル１０に着脱可能に保持するための保持構造４と、保護シート２の端部に設けられ保護シート２を巻き取る際の芯材として用いられる巻取り芯５と、保護シート２において巻取り芯５が設けられていない側の端部に設けられ、巻取り芯５に巻回された保護シート２を収納するポケット６を備えてなるものである。
【００２５】
上述のような本実施形態に係る荷崩れ防止具１は、図１に示すように、スライドカート８の周側面上に保護シート２を巻回した状態で用いられる。この場合、スライドカート８に沢山の荷物を積載して移動する際に、保護シート２によってこの荷物の揺動を防止することができる。これにより、本実施形態に係る荷崩れ防止具１によれば、荷物をスライドカート８により搬送する際の荷崩れを好適に防止することができる。この結果、スライドカート８を用いて荷物を搬送する際に、荷崩れが起きて、搬送中の荷物が破損するあるいは損傷するのを防ぐことができる。
また、本実施形態に係る荷崩れ防止具１は、不使用時には保護シート２の端部に設けられている巻取り芯５に保護シート２を巻き取り、巻取り芯５に巻回された保護シート２をポケット６内に収容することで、コンパクトに収納保管しておくことができる。
【００２６】
さらに、本実施形態に係る荷崩れ防止具１は、保護シート２の背面側に、より具体的には、保護シート２においてポケット６の背面側に保持構造４を備えている。このため、ポケット６内に収納された保護シート２（荷崩れ防止具１）を、スライドカート８の側面パネル１０に着脱可能に取設しておくことができる。
さらに、このポケット６の背面側は、保護シート２の端部により構成されている。より具体的には、本実施形態に係る荷崩れ防止具１は、保護シート２の端部に、ポケット６が設けられている。つまり、本実施形態に係る荷崩れ防止具１におけるポケット６は、保護シート２をスライドカート８に巻回する際の、巻き始めの始点位置をなしている。
このため、保持構造４によりポケット６をスライドカート８の側面パネル１０に取設することで、保護シート２をスライドカート８に巻回する際の、巻き始めの始点位置を固定する作業が完了する。
【００２７】
続いて、図３及び図４乃至図６を参照しながら本実施形態に係る荷崩れ防止具１をポケット６に収容する手順について説明する。
図４は本発明の実施形態に係る荷崩れ防止具の巻取り芯に保護シートを巻き取った状態を示す斜視図である。また、図５は同荷崩れ防止具において巻取り芯に巻き取った保護シートをポケットに収納している様子を示す斜視図である。さらに、図６（ａ）は本発明の実施形態に係る荷崩れ防止具において保護シートをポケットに収納した状態の正面図であり、（ｂ）は同荷崩れ防止具の背面図である。なお、図１乃至図３に記載されたものと同一部分については同一符号を付し、その構成についての説明は省略する。
本実施形態に係る荷崩れ防止具１をポケット６に収納するには、まず、帯状をなす保護シート２の端部に設けられている巻取り芯５（図３を参照）に、保護シート２を固定構造３とともに巻き付ける（図４を参照）。
この後、巻取り芯５に巻回された保護シート２を、ポケット６の開口６ａからその中空部内に入れ込むことで（図５を参照）、保護シート２の収納作業が完了する
（図６（ａ），（ｂ）を参照）。
【００２８】
本実施形態に係る荷崩れ防止具１では、巻取り芯５に巻回した状態で保護シート２をポケット６内に収容するため、保護シート２が収納されたポケット６の厚みを薄くすることができる。
また、本実施形態に係る荷崩れ防止具１は、保護シート２の巻回方向、すなわち図３における保護シート２の長辺と平行な方向における巻取り芯５の幅Ｌ（図１乃至図３を参照）が、スライドカート８の側面パネル１０における鉛直材１０ａの内寸法Ａを１とした場合に、０.５Ａ≦Ｌを満たすよう構成されている。
この場合、巻取り芯５をシンプルな棒体で構成する場合に比べて、巻取り完了後の保護シート２の厚みを薄くすることができる。加えて、巻取り芯５に保護シート２を巻回する際に、巻取り芯５を回転させる回数を少なくすることができるというメリットも有する。
【００２９】
さらに、上記特徴に加えて、本実施形態に係る巻取り芯５の幅Ｌは、Ｌ≦Ａについても満たすよう構成されている。この場合、上記メリットに加えて、巻取り芯５に巻回された保護シート２のその巻取り方向における幅Ｌ１（図４を参照）を、側面パネル１０における鉛直材１０ａの内寸法Ａと略同じかそれよりもやや小さくすることができる。
【００３０】
ここで、本実施形態に係る荷崩れ防止具１の巻取り芯５の幅Ｌを上述のように特定することのメリットについて図７を参照しながら説明する。
図７は保護シートが収納された状態の本発明の実施形態に係る荷崩れ防止具をスライドカートの側面パネルに取り付けた様子を示す斜視図である。また、図８は本発明の実施形態に係る荷崩れ防止具を取り付けた状態でスライドカートをネスティングした様子を示す斜視図である。なお、図１乃至図６に記載されたものと同一部分については同一符号を付し、その構成についての説明は省略する。
図７に示すように、本実施形態に係る荷崩れ防止具１によれば、ポケット６に保護シート２を収納した状態の水平方向幅Ｌ２（図６（ａ），（ｂ）を参照）を、スライドカート８の側面パネル１０の水平方向幅Ａと略同じかそれよりも小さくすることができる。つまり、本実施形態に係る荷崩れ防止具１によれば、ポケット６に保護シート２を収納した状態の荷崩れ防止具１が、スライドカート８の側面パネル１０の幅方向に大幅にはみ出さないようにすることができる。
このため、本実施形態に係る荷崩れ防止具１によれば、保護シート２をポケット６に収納した状態でスライドカート８の側面パネル１０に常設していても、荷崩れ防止具１がスライドカート８の移動の妨げになり難い。
【００３１】
さらに、本実施形態に係る荷崩れ防止具１では、図８に示すように、保護シート２をポケット６に収納した状態の厚みが、スライドカート８をネスティングした際に隣接する側面パネル１０同士の空隙Ｂと同じか、それよりも小さくなるよう構成しておいてもよい（任意選択構成要素）。
この場合、側面パネル１０に本実施形態に係る荷崩れ防止具１を装着したままの状態でスライドカート８をネスティングすることが可能になる。つまり、このような本実施形態に係る荷崩れ防止具１によれば、スライドカート８の側面パネル１０に常設しても、スライドカート８を通常通り使用することができる。
【００３２】
続いて、図１乃至図８を参照しながら本実施形態に係る荷崩れ防止具１の細部構造について詳細に説明する。
本実施形態に係る荷崩れ防止具１では、巻取り芯５が、可撓性を有する平板材により構成されている場合は、ポケット６の開口６ａをそれ以上広げることができなくとも、巻取り芯５に巻回された保護シート２をポケット６内に出し入れすることができるので、荷崩れ防止具１の使用には何ら差し支えない。これは、ポケット６の開口６ａをそれ以上広げることができない場合でも、保護シート２が巻回された巻取り芯５を撓ませるなどすれば、巻取り芯５に巻回された保護シート２をポケット６内に出し入れすることができるためである。
しかしながらこの場合は、巻取り芯５に巻回された保護シート２を出し入れする作業をスムーズに行えないことも想定される。そして、この場合は、スライドカート８に保護シート２の着脱させる際の作業性を向上させることができない懸念があった。
このような事情に鑑み、本実施形態に係る荷崩れ防止具１は、先の図１乃至図８に示すように、ポケット６の開口６ａに開閉具７を備えていてもよい（任意選択構成要素）。
この場合、例えば図３乃至図５に示すように、必要に応じてポケット６の開口６ａを広げることができる。そして、ポケット６の開口６ａを広げることができる場合は、図５に示すように、巻取り芯５に巻回された保護シート２のポケット６への出し入れが容易になる。
よって、ポケット６がその開口６ａに開閉具７を備える場合は、スライドカート８への保護シート２の着脱作業をスムーズかつ効率良く行うことができる。
【００３３】
さらに、先の図１乃至図８では、ポケット６の開口６ａに設けられる開閉具７がファスナ７ａである場合を例に挙げて説明しているが、この開閉具７はファスナ７ａに特定される必要はない。より具体的には、開閉具７として、ボタン及びボタンホールからなる開閉具（図示せず）、スナップボタン（図示せず）、面ファスナ（図示せず）、あるいはこれらのように所望にポケット６の開口６ａの広狭を調節させるような従来公知の開閉構造を適宜採用すればよい。
なお、ポケット６の開口６ａの開閉具７として特にファスナ７ａを用いる場合は、ファスナ７ａが設けられている部分で、開口６ａの広狭を無段階で自在に調整することができる。さらに、開閉具７が特にファスナ７ａである場合は、スライダーをスライドさせるだけで開口６ａの開度を調整できるので、作業者が片手で開閉具７を操作できるというメリットもある。よって、開閉具７をファスナ７ａに特定する場合は、本実施形態に係る荷崩れ防止具１の操作性を向上させることができる。
【００３４】
また、本実施形態では保護シート２をスライドカート８に巻回して環状に保持しておくための固定構造３として、細長帯状のバンド３ａと、このバンド３ａを係止するための環状具３ｃを備えている。
また、このような固定構造３におけるバンド３ａは、その一部が保護シート２の端部に固設され、さらにそれに続く部分が保護シート２の端部に延設されている。加えて、このようなバンド３ａは、保護シート２に固定される部分に表面にオス又はメスタイプの面ファスナを備えるとともに、保護シート２の端部から延設される部分の表面にはメス又はオスタイプの面ファスナを備えていてもよい（任意選択構成要素）。
そして、上述のようにバンド３ａを構成することで、バンド３ａを保護シート２の端部において保護シート２側に折り畳んだ際に、タイプの異なる面ファスナ同士を接合させて、バンド３ａを２つ折りにした状態で固定しておくことができる。
そして、本実施形態に係る荷崩れ防止具１が、固定構造３として上述のようなバンド３ａ及び環状具３ｃを備える場合は、先の図２に示すように、保護シート２の端部に延設されるバンド３ａを、保護シート２の他の端部に設けられる環状具３ｃに挿通した後、この挿通されたバンド３ａを環状具３ｃにおいて折り返し、さらに保護シート２に固設される側のバンド３ａの端部に重ね合わせることで、保護シート２を環状に保持しておくことができる。
また、保護シート２の環状状態を解除するには、上述の手順を逆に行えばよい。
【００３５】
そして、本実施形態に係る荷崩れ防止具１の固定構造３が上述のようなバンド３ａ及び固定構造３を備える場合は、スライドカート８に積載される荷物が側面パネル１０の幅方向（水平方向）にはみ出している場合でも、環状具３ｃにおけるバンド３ａの掛止位置を調整することで、保護シート２の長さの不足をバンド３ａで補うことができる。
さらに、固定構造３がバンド３ａ及び固定構造３を備える場合は、環状具３ｃにおけるバンド３ａの掛止位置を調整することで、スライドカート８に積載される荷物の保護シート２による締付け具合を適宜調節することができる。
加えて、固定構造３がバンド３ａ及び固定構造３を備える場合は、保護シート２を環状に保持するために、保護シート２の一部をスライドカート８の側面パネル１０に係止させる等の作業（特許文献２を参照）を行う必要がない。
このことは、スライドカート８に保護シート２を巻回する際に、側面パネル１０と積載されている荷物の隙間を広げる作業を行う必要がないことを意味している。このため、固定構造３としてバンド３ａ及び固定構造３を備えている場合は、保護シート２の着脱時に、スライドカート８に積載される荷物が荷崩れするのを防ぐことができるという効果も有する。
【００３６】
なお、本実施形態に係る荷崩れ防止具１における固定構造３は、上述のようなバンド３ａ及び環状具３ｃを備えている必要は必ずしもなく、必要に応じて保護シート２の長さを補うことができ、保護シート２による荷物の締付けの具合を調節できるよう構成されるものであれば、上述以外の構成を用いることもできる。例えば、固定構造３として、ベルトの長さを調整可能なクイックリリースタイプのジョイントを使用することもできる。
また、本実施形態に係る荷崩れ防止具１では固定構造３として、２組のバンド３ａ及び環状具３ｃを備える場合を例に挙げて説明しているが、バンド３ａ及び環状具３ｃは１組以上の所望の組数を備えていればよい。ただし、バンド３ａ及び環状具３ｃの組数が多くなるほど、保護シート２の着脱作業が煩雑になるため、バンド３ａ及び環状具３ｃの組数は、必要最小限度にすることが望ましい。
【００３７】
さらに、本実施形態に係る荷崩れ防止具１において固定構造３が上述のようなバンド３ａ及び環状具３ｃにより構成される場合は、荷崩れ防止具１の使用時に、保護シート２とバンド３ａの接続部分に大きな張力が作用する。
このため、本実施形態に係る荷崩れ防止具１では、保護シート２とバンド３ａの接続部分において、バンド３ａが引きちぎられる等の不具合が起こりやすいという懸念があった。
このような事情に鑑み本実施形態に係る荷崩れ防止具１では、保護シート２の端部に配される巻取り芯５とバンド３ａを積層した状態でこれらを一体に固設している。すなわち、本実施形態に係る荷崩れ防止具１は、巻取り芯５とバンド３ａが重なった状態で一体に固定されてなる積層領域３ｂを備えている（図２，３を参照）。
このように、本実施形態に係る荷崩れ防止具１が巻取り芯５とバンド３ａとが重なった積層領域３ｂを備えていることで、巻取り芯５を保護シート２とバンド３ａの接続部分における補強材としても利用することができる。
この結果、本実施形態に係る荷崩れ防止具１の耐久性を向上させることができる。
【００３８】
また、特に図示しないが、本実施形態に係る荷崩れ防止具１のポケット６はその上面に第２のポケット又はシール貼付け台を備えていてもよい（いずれも任意選択構成要素）。
そして、本実施形態に係る荷崩れ防止具１のポケット６がその上面に第２のポケットを備えている場合は、この第２のポケットにスライドカート８やそれに積載されている荷物に関する情報を記した書類等を収納することができる。
この場合、第２のポケットを、透視性を有する材質により構成しておくことで、上述のような書類の情報を、第２のポケットから取り出すことなく目視して確認することができる。
【００３９】
また、本実施形態に係る荷崩れ防止具１のポケット６がその上面にシール貼付け台を備える場合も、スライドカート８やそれに積載されている荷物に関する情報が記されたシールを貼設しておくことができる。この場合も、使用者は荷崩れ防止具１のポケット６の上面側を見るだけでそのスライドカート８やそれに積載されている荷物に関する情報を得ることができる。
なお、このシール貼付け台としては、例えば表面にエンボス加工を施すなどしてシールの着脱性を適度に調節したシート体（例えば、シボシート等）を用いることができる。
【００４０】
よって、本実施形態に係る荷崩れ防止具１のポケット６が、その上面に第２のポケット又はシール貼付け台を備える場合は、スライドカート８に荷崩れ防止具１を常設する際に、荷崩れ防止具１とともにスライドカート８やそれに積載される荷物に関する情報についても送り届けることができる。
この結果、本実施の形態に係る荷崩れ防止具１の利便性を向上させることができる。
【００４１】
さらに、本実施形態に係る荷崩れ防止具１は、ポケット６が設けられた部分の保護シート２を、スライドカート８の側面パネル１０に着脱可能に取設するための保持構造４としてフック４ａを備えている。
このフック４ａは、例えば、形状保持性を有する合成樹脂を、断面Ｊ字形を成すように形成したものを、保護シート２の所望位置に縫着してなるものである。なお、フック４ａの保護シート２への取設方法を縫着に特定する必要は特にない。しかしながら、保護シート２やポケット６の材質として布や不織布、あるいは、合成樹脂製のシート材等を用い、保護シート２にポケット６やバンド３ａを縫着して固定する場合は、その作業の一環としてフック４ａを保護シート２に縫着して固定することができる。このため、保持構造４として上述のようなフック４ａを用いる場合は、本実施形態に係る荷崩れ防止具１の生産性を向上させることができる。
そして、保持構造４として図１，２，６に示すようなフック４ａを用いる場合は、スライドカート８の側面パネル１０にワンタッチで荷崩れ防止具１を着脱させることができる。
また、保持構造４は、上述のようなフック４ａ以外にも、金属製のフック等を支障なく用いることができる。この場合は、保護シート２への取設方法を変更する必要がある可能性があるものの、より耐久性に優れた保持構造４を提供することができる。
【００４２】
その一方で、本実施形態に係る荷崩れ防止具１の保持構造４としてフック（例えばフック４ａ等）を用いる場合は、荷崩れ防止具１を取設できる場所が、側面パネル１０における水平材１０ｂに特定されてしまうという別の課題が生じてしまう。
このような場合は、荷崩れ防止具１の保持構造４としてフック（例えばフック４ａ等）を用いる代わりに、ポケット６の背面側の保護シート２に、固定具（例えば、面ファスナ等）を備えたバンドや固定用紐などを取り付けておき、このバンドを側面パネル１０の鉛直材１０ａに巻回する、あるいは固定紐を鉛直材１０ａに緊縛するなどして、側面パネル１０の鉛直方向の所望位置に荷崩れ防止具１を取設できるよう構成してもよい（任意選択構成要素）。
この場合は、本実施形態に係る荷崩れ防止具１の利便性を一層向上させることができる。
【００４３】
また、本実施形態に係る荷崩れ防止具１では、特に図示しないが、保護シート２の保持構造４として上述のフック（例えば、フック４ａ等）と、側面パネル１０の鉛直材１０ａに巻回して保護シート２を保持するバンドや、緊縛用の紐を併用してもよい。より具体的には、ポケット６の鉛直上方側の背面（保護シート２）にフック（例えばフック４ａ等）を設けるとともに、ポケット６の鉛直下方側の背面（保護シート２）に側面パネル１０の鉛直材１０ａ又は水平材１０ｂに巻回して固定するバンド又は紐からなる保持構造４を備えていてもよい。
この場合、本実施形態に係る荷崩れ防止具１が保持構造４としてフック（例えば、フック４ａ等）のみを備える場合に比べて、スライドカート８に荷崩れ防止具１を常設する際に、側面パネル１０から荷崩れ防止具１を外れ難くすることができるというメリットがある。
この場合、スライドカート８に本実施形態に係る荷崩れ防止具１を常設する際の荷崩れ防止具１の外れや落下に伴う紛失を防止することができる。
【００４４】
また、本実施形態ではスライドカート８の鉛直方向の５０％に満たない領域を、保護シート２で被覆する場合を例に挙げて説明しているが、このような保護シート２に代えて、スライドカート８の鉛直方向の５０％以上の領域を被覆することができるような保護シート２を備えていてもよい（任意選択構成要素）。
一般に、スライドカート８で荷物を搬送する場合は、鉛直上方に配される荷物ほど荷崩れを起こしやすい。このため、スライドカート８において鉛直上方に位置する荷物の周囲に保護シート２を巻回しておけば、スライドカート８で搬送する際の荷物の荷崩れの大半を防ぐことができる。
他方、本実施形態に係る１が、スライドカート８の鉛直方向の５０％以上の領域を被覆することができるような保護シート２を備える場合は、そうでない場合と比べてより確実にスライドカート８で搬送される荷物の荷崩れを防止することができる。
【００４５】
なお、本実施の形態に係る保護シート２の材質については特に特定されないが、強度や耐久性の点から布を用いることが望ましい。
また、保護シート２の厚みが大きいと耐久性や強度が向上する一方で、巻取り芯５に巻き取られた保護シート２が嵩張ってしまい、収納状態でスライドカート８に常設した際に、スライドカート８の動作の妨げになる懸念があり好ましくない。
このような事情に鑑み、荷崩れ防止具１を構成する保護シート２の厚みは、スライドカート８の側面パネル１０を構成する鉛直材１０ａの内寸法Ａ（図１を参照）と略同じ寸法を有する巻取り芯５に巻回した際の保護シート２の寸法Ｌ１（図４を参照）が、側面パネル１０の幅Ａ１（図１を参照）以下になるよう設定しておくとよい。
この場合、巻取り芯５に巻回された保護シート２をポケット６内に収容した場合でも、ポケット６の水平方向幅Ｌ２（図６を参照）が側面パネル１０の幅Ａ１（図１を参照）を大幅に超えることがない。この結果、本実施形態に係る荷崩れ防止具１をスライドカート８に常設する場合に、荷崩れ防止具１がスライドカート８の動作の妨げになるのを一層確実に防ぐことができる。
【００４６】
また、本実施形態に係る荷崩れ防止具１では、巻取り芯５の平面形状が矩形状である場合を例に挙げて説明しているが、巻取り芯５の平面形状は、上記矩形状の中央部分を切り抜いてなるロ字形をなしていてもよいし、コ字形をなしていてもよい。ただし、巻取り芯５の平面形状をコ字形にする場合は、保護シート２の長手方向端縁側に巻取り芯５の切欠き部分を配しない、つまり、保護シート２の長手方向端縁の全域が巻取り芯５を備えている必要がある。
なお、本実施形態に係る荷崩れ防止具１の巻取り芯５の平面形状を上述のようにロ字形やコ字形にする場合でも、その保護シート２の巻回方向における巻取り芯５の幅Ｌは、スライドカート８の側面パネル１０における鉛直材１０ａの内寸法Ａを１とした場合に、０.５Ａ≦Ｌ≦Ａを満たしている必要がある。
【産業上の利用可能性】
【００４７】
以上説明したように本発明は、スライドカートで荷物を搬送する際に荷崩れが起こるのを好適に防止することができ、スライドカートへの着脱作業が容易で、しかも不使用時にはコンパクトに収納することができ、スライドカートに常設してもスライドカートの動作の妨げにならない荷崩れ防止具であり、物流や物流設備に関する技術分野において利用可能である。
【符号の説明】
【００４８】
１…荷崩れ防止具  ２…保護シート  ３…固定構造  ３ａ…バンド  ３ｂ…積層領域  ３ｃ…環状具  ４…保持構造  ４ａ…フック  ５…巻取り芯  ６…ポケット  ６ａ…開口  ７…開閉具  ７ａ…ファスナ  ８…スライドカート  ９…床面パネル  １０…側面パネル  １０ａ…鉛直材  １０ｂ…水平材  １１…キャスター
【図１】
2020157941.tif 000003
【図２】
2020157941.tif 000004
【図３】
2020157941.tif 000005
【図４】
2020157941.tif 000006
【図５】
2020157941.tif 000007
【図６】
2020157941.tif 000008
【図７】
2020157941.tif 000009
【図８】
2020157941.tif 000010